(57)【要約】【課題】設定時間を短縮した自動チューニングチャンネル設定を行う装置を提供することである。【解決手段】放送局名検索が行われる複数の放送局情報から、ユーザーが選択した地域に合致するように選択された放送局情報の複数の組み合わせにおいて、放送局名の検索を行う。【選択図】図１
2005277741.tif 000002
【特許請求の範囲】
【請求項１】
異なる複数の放送局情報が含まれる映像音声信号から放送局名を検索する装置、及び当該放送局名検索装置を当該異なる複数の放送局情報から選択した放送局情報の複数の組合せにおいて、放送局情報が含まれる映像音声信号から放送局名検索を行うように制御する装置からなる自動チューニングチャンネル設定装置を持つ電子機器。
【請求項２】
当該複数の放送局情報が、ビデオプログラムシステム、フォーマット１及びフォーマット２である請求項１の自動チューニングチャンネル設定装置を持つ電子機器。
【発明の詳細な説明】
【技術分野】
【０００１】
この発明は、自動チューニングチャンネル設定装置を持つ電子機器に関する。
【背景技術】
【０００２】
テレビ受信機は、ユーザーが使用する地域ごとに受信周波数が異なるので、ユーザーの地域に合致したチャンネルに同調するように、チューナーをそれらの放送局の受信チャンネルに設定することが必要である。その設定受信チャンネルプランは地域によって異なる。受信チャンネルに設定の際、当該地域で受信可能な放送局をすべて検索して、どの受信チャンネルにどの放送局を選局するかを決定する受信チャンネルプランに従って、チューナーを自動的に選局させるように設定することが行われている。この選局設定を行う装置を予めテレビ受信機に組み込み、購入したユーザーがこれを使って自動的に設定を行っていた。
【０００３】
この時、放送波の映像音声信号内にある放送局名を検索する必要があるが、この放送局名が送られてくる特定箇所は、受信チャンネルの地域によって異なるので、すべての放送局情報について検索を行っていた。例えば、欧州ではビデオプログラムシステム（以下VPSという）、フォーマット１及びフォーマット２と呼ばれる三つの放送局情報が存在する。欧州のどの地域でも、これら全ての三つの放送局情報に応じて放送局名を検索していた。
【０００４】
図１と２は、従来技術による自動チューニングチャンネル設定作動が示されている。図１はフランスで、図２はフランス以外の欧州で、自動チューニングチャンネル設定装置の作動を示す。図１と図２を比較するとわかるように、フランスでは、L−SECAMとPALの両方の放送形式についてチャンネル設定を行い、フランス以外では、PALの放送形式について行う。
【０００５】
図1では、工程１００で、自動チューニングチャンネル設定を開始すると、まず工程１０１でL−SECAMの放送波について開始され、放送局名検索が、VPS、フォーマット２及びフォーマット１という順番に対応して実行される。詳細に説明すると、テレビ放送波を例えば１００ｋHZごとにサンプリングして、それが映像信号であればそのたびごとに映像信号をもとに、それぞれの放送局情報、VPS、フォーマット２及びフォーマット１での放送局名の検索を順次行う。三つの信号を一つ一つデータ検索して、VPS、フォーマット２及びフォーマット１のいずれかに、放送局名が検出されるまで全てのサンプリング放送映像信号についてデータ検索が実行される。検出されれば、放送局名が確定される（工程１０２）。放送局名が確定後、次の周波数のサンプリングを同様に行い、L−SECAMのチューニング帯域が終了した場合、L−SECAMの放送波のスキャンを終える。（工程１０５）次に、PALについて工程１０６で開始され、まったく同様に、VPS、フォーマット２及びフォーマット１での放送局名の検索を行い、放送局名確定を工程１０７で行う。この検索を工程１０８で終了したのち、取得した放送局名及び受信チャンネルを使って、テレビ受信機チューナーチャンネルの並び替え処理を工程１０９で行い、自動チューニングチャンネル設定装置の作動は終了する（工程１１０）。
【０００６】
フランス以外の欧州地域では、図２に示すように、同様の順序で同様の工程２００ないし２０５が、PAL方式の放送波についてだけ行なわれる。放送局名の確定２０２は、それぞれの信号方式、VPS、フォーマット２及びフォーマット１ですべての放送局名の検索を行う。この放送局名の検索は、フランスでのL−SECAMや、PAL方式の放送波について行うのと同様に、三種のデータをすべて検索する。放送局名を持つVPSデータ、フォーマット２データ、及びフォーマット１データを検出した放送波の映像信号中に可能性のあるラインのすべてをスキャニングしてゆくので時間がかかり、フランスに関してはテレビ受信機の自動チューニングチャンネル設定時間が１０分以上もかかり不都合であった。
【発明の開示】
【発明が解決しようとする課題】
【０００７】
この発明の課題は、設定時間を短縮した自動チューニングチャンネル設定を行う装置を提供することである。
【課題を解決するための手段】
【０００８】
この発明の課題は、異なる複数の放送局情報が含まれる映像音声信号から放送局名を検索する装置、及び当該放送局名検索装置を当該異なる複数の放送局情報から選択した放送局情報の複数の組み合わせにおいて、放送局情報が含まれる映像音声信号から放送局名検索を行うように制御する装置からなる自動チューニングチャンネル設定装置を持つ電子機器によって解決される。
【発明の効果】
【０００９】
放送局名検索が行われる複数の放送局情報から、ユーザーが選択した地域に合致するように選択された放送局情報の複数の組み合わせにおいて、放送局名の検索を行うようにしたので、選択された地域にはない放送局情報での当該検索を省略できる。
【発明を実施するための最良の形態】
【００１０】
図３にこの発明の実施形態をブロック図で示す。この発明によるテレビ受信機は、チューナー１０と、マイクロコンピュータ３０、外部メモリー５０、リモートコントロールユニット２０、及びディスプレーモニター４０を含む。マイクロコンピュータ３０は、その一部としてプログラミングによって、放送局名検索手段１１と、当該検索手段１１を制御する制御手段１２と、取得した放送局名、及び、受信チャンネルを使って、テレビ受信機チューナーチャンネルの並び替えの処理を行う並び替え処理手段１３とを具現化している。
図４ないし図７には、この図示の実施例の自動チューニングチャンネル設定作動が説明されている。図４は、フランス、図５はドイツ、スイス、及びオーストリアの地域、図６はフランス以外のドイツ、スイス、またはオーストリアに隣接する地域、図7はドイツ、スイス、またはオーストリアに隣接しない地域のための自動チューニングチャンネル設定作動の工程手順を示した。
【００１１】
ユーザーがフランスの地域、ドイツ、スイス、及びオーストリアの地域、フランス以外のドイツ、スイス、またはオーストリアに隣接する地域、ドイツ、スイス、またはオーストリアに隣接しない地域の四つの地域のうちどの地域に該当する国を選択したかによって、対応した図に示された工程手順が実行される。フランスを選択した場合は、図４の工程手順が実行される。自動チューニングチャンネル設定を工程４００で開始すると、L−SECAM放送波について、工程４０１で放送局データサーチが開始される。その放送波に存在する可能性があるフォーマット１データとフォーマット２データの検索だけが行われ、VSPデータの検索は行われない。二つのデータの検索がサンプリング周波数ごとに、放送局名が検出されるまで行われ、検出されれば、放送局名が確定される（工程４０２）。こうして、放送局名の検索をL−SECAM放送波について終了する（工程４０３）。すると、ユーザーはフランス隣国の国に存在する放送局に関しても、自動チューニングチャンネル設定を行うか否かを工程４０４で選択する。選択しなければ、取得した放送局名、及び、受信チャンネルを使って、テレビ受信機チューナーチャンネルの並び替え処理を工程４０５で行い、処理されたチャンネルプランを外部メモリー５０（図３）に読み込ませる工程４１０で終了する。
【００１２】
ユーザーが隣接の地域も考慮したチャンネルプランを望んで、隣接地域も加入したチャンネルプランを選択した場合は、並び替え処理を工程４０５は行わず、PALの放送波にチューニング動作を行い（工程４０６）、ついで、全三種類のVSPデータ、及び、フォーマット１データについて検索を実行する。同様に、放送局名データが発見されるまで、検索を続ける。放送局名が工程４０７で確定後、次の周波数のサンプリングを同様に行うが、ＰＡＬのチューニング帯域が終了した場合、サーチを終了する（工程４０８）。その後、検索結果で得られた放送局名、及び、受信チャンネルを使って、テレビ受信機チューナーチャンネルの並び替え処理を工程４０９で行い、処理されたチャンネルプランを外部メモリー５０（図３）に読み込ませる工程４１０で終了する。
【００１３】
ユーザーがドイツ、スイス、オーストリアの地域を選択すると、図５の工程手順が実行される。自動チューニングチャンネル設定作動を開始（工程５００）すると、まず工程５０１で他の地域の放送局も検索するか否かをユーザーが決定する。しない場合はチューニングによる放送局データ検索は、工程５０２以下に示すようにVPSについてだけ行う。放送局名が発見できるまで検索を実行し、発見されたら工程５０３で放送局名を確定し、放送局名を確定後、次の周波数のサンプリングを同様に行うが、この地域のチューニング帯域が終了した場合、検索を終了する（工程５０４）。検索結果で得られた放送局名、及び、受信チャンネルを使って、テレビ受信機チューナーチャンネルの並び替え処理を工程５０５で行い、処理されたチャンネルプランを外部メモリー５０（図３）に読み込ませる工程５０６で終了する。
【００１４】
ユーザーが、工程５０１で、ドイツ、スイス、オーストリアの地域ばかりか、その他の地域も検索することを選択した場合、まったく同様な検索が行われるが、図5の工程５０７ないし５０８の間に示したように、VSPだけではなく、フォーマット1データの検索もまた行われる。放送局名確定の工程５０８の後、次の周波数のサンプリングを同様に行うが、この地域のチューニング帯域が終了した場合、検索を終了する（工程５０４）。検索結果で得られた放送局名、及び、受信チャンネルを使って、テレビ受信機チューナーチャンネルの並び替え処理を工程５０５で行い、処理されたチャンネルプランを外部メモリー５０（図３）に読み込ませる工程５０６で終了する。
【００１５】
ユーザーがフランス以外の、ドイツ、スイス、またはオーストリアに隣接する地域を選択すると、図６の工程手順が実行される。自動チューニングチャンネル設定作動を開始（工程６００）すると、まず、工程６０１で、他の地域の放送局も検索するか否かをユーザーが決定する。しない場合は、チューニングによる放送局データ検索は、工程６０２以下に示すように、VPSを除外したフォーマット１とフォーマット２についてだけ行う。放送局名が発見できるまで検索を実行し、発見されたら工程６０３で放送局名を確定し、放送局名を確定後、次の周波数のサンプリングを同様に行うが、この地域のチューニング帯域が終了した場合、検索を終了する（工程６０４）。検索結果で得られた放送局名、及び、受信チャンネルを使って、テレビ受信機チューナーチャンネルの並び替え処理を工程６０５で行い、処理されたチャンネルプランを外部メモリー５０（図３）に読み込ませる工程６０６で終了する。
【００１６】
ユーザーが工程６０１で、隣接の地域も考慮したチャンネルプランを望んで、隣接地域も加入したチャンネルプランを選択した場合は、まったく同様な検索が行われるが、図６の工程６０７ないし６０８の間に示したように、フォーマット1とフォーマット２のデータだけではなく、VSPのデータの検索も行われる。放送局名確定の工程６０８の後、次の周波数のサンプリングを同様に行うが、この地域のチューニング帯域が終了した場合、検索を終了する（工程６０４）。検索結果で得られた放送局名、及び、受信チャンネルを使って、テレビ受信機チューナーチャンネルの並び替え処理を工程６０５で行い、処理されたチャンネルプランを外部メモリー５０（図３）に読み込ませる工程６０６で終了することは、工程６０１で他の国を選択しなかった場合と同様である。
【００１７】
ユーザーがドイツ、スイス、またはオーストリアに隣接しない地域、たとえば、イギリスやスペインを選択すると、図７の工程手順が実行される。自動チューニングチャンネル設定作動を開始（工程７０１）すると、チューニングが工程７０２で開始される。このチューニングによる放送局データ検索は、工程７０２以下に示すように、VPSを除外したフォーマット１とフォーマット２についてだけ行う。放送局名が発見できるまで検索を実行し発見されたら、工程７０３で放送局名を確定し、放送局名を確定後、次の周波数のサンプリングを同様に行うが、この地域のチューニング帯域が終了した場合、検索を終了する（工程７０４）。検索結果で得られた放送局名、及び、受信チャンネルを使って、テレビ受信機チューナーチャンネルの並び替え処理を工程７０５で行い、処理されたチャンネルプランを外部メモリー５０（図３）に読み込ませる工程７０６で終了する。
【００１８】
このいずれかの場合によって外部メモリー５０に読み込まれたチャンネルプランにしたがって、チューナー１０のチャンネル設定を行う。VPSデータは、欧州の一部の国である、ドイツ、スイス、及びオーストリアに存在する放送局だけが映像信号に乗せて発しているデータであるので、VPSデータの検索を行うのはこの前記の地域と、前記の地域に隣接する他の地域においてである。ただし、この前記のドイツ、スイス、及びオーストリアに隣接する地域の他の国においてチューニングチャンネル設定を行わないとした場合は、VPSデータの検索は行わない。すなわち、ドイツ、スイス、及びオーストリア以外の地域であって、隣接地域の放送局は配慮しないでチューニングチャンネル設定を行うときは、フォーマット１データとフォーマット２データの局名検索だけを行うように選択できる。換言すると、VPSデータはフランス放送波には存在しない。ドイツ、スイス、及びオーストリーの放送波だけにVPSデータが存在する。それ以外の地域では、基本的にフォーマット１とフォーマット２のデータが放送されている。従って、ある地域で自国以外の他の地域の放送波を検索する場合はフォーマット1データの検索でよく、フォーマット２のデータは検索を省略できる。
【００１９】
このような放送局情報の組み合わせに基づき、放送局名検索の範囲として放送局情報を選択できるようにしたので、この自動チューニングチャンネル設定装置の動作終了時間は従来の選択できないすべての地域について全信号方式について検索したものに比較すると、格段の短縮化が実現される。
【図面の簡単な説明】
【００２０】
【図１】従来の自動チューニングチャンネル設定装置の動作を示すフローチャート。
【図２】従来の自動チューニングチャンネル設定装置の動作を示すフローチャート。
【図３】この発明の実施例を示すブロック図。
【図４】図３の実施例による自動チューニングチャンネル設定装置の動作を示すフローチャートである。
【図５】図３の実施例による自動チューニングチャンネル設定装置の動作を示すフローチャートである。
【図６】図３の実施例による自動チューニングチャンネル設定装置の動作を示すフローチャートである。
【図７】図３の実施例による自動チューニングチャンネル設定装置の動作を示すフローチャートである。
【符号の説明】
【００２１】
１０  チューナー
３０  マイクロコンピュータ
５０  外部メモリー
２０  リモートコントロールユニット
４０  ディスプレーモニター
【図１】
2005277741.tif 000003
【図２】
2005277741.tif 000004
【図３】
2005277741.tif 000005
【図４】
2005277741.tif 000006
【図５】
2005277741.tif 000007
【図６】
2005277741.tif 000008
【図７】
2005277741.tif 000009